(57)【要約】絞り機構２０及び容器５０の組み合わせ体１０において、容器５０は、容器底部５２から周縁形成部５８まで収容空間５７を囲む少なくとも１つの側壁５３，５４，５５，５６を有し、絞り機構２０は、本体２１と、絞られるべきモップ材を受け入れるバスケット２４と、少なくとも１つの可動な押圧部材２５ａ，２５ｂとを有し、押圧部材２５ａ，２５ｂは、絞りレバーハンドル２７を容器５０の前部５５ａに向けて下方に移動させた場合にモップ材を圧搾するように伝動装置２６によってバスケット２４内で動作することができ、絞り機構２０は、少なくともバスケット２４が収容空間５７内に垂下した状態で、絞り機構本体２１により与えられるフック形成部６６によって容器５０の周縁形成部５８に支持され、絞り機構２０は、一対の側壁支持形成部６８，６９をさらに有し、側壁支持形成部６８，６９のそれぞれは、絞る間、収容空間５７の内部で容器側壁５３，５４，５５，５６の対応形成部６８ａ，６９ａと協働して容器側壁５３，５４，５５，５６を支持し、絞り機構２０を容器５０に取り外し可能に取り付けるための複数の解除可能な取付装置７０，７１がある。
2011524195.tif 000002
【特許請求の範囲】
【請求項１】
絞り機構及び容器の組み合わせ体であって、前記容器は、容器底部から周縁形成部まで収容空間を囲む少なくとも１つの側壁を有し、前記絞り機構は、本体と、絞られるべきモップ材を受け入れるバスケットと、少なくとも１つの可動な押圧部材とを有し、前記押圧部材は、絞りレバーハンドルを前記容器の前部に向けて下方に移動させた場合に前記モップ材を圧搾するように伝動装置によって前記バスケット内で動作することができ、前記絞り機構は、少なくとも前記バスケットが前記収容空間内に垂下した状態で、前記絞り機構本体により与えられるフック形成部によって前記容器の前記周縁形成部で支持され、前記絞り機構は、一対の側壁支持形成部をさらに有し、前記側壁支持形成部のそれぞれは、絞る間、前記収容空間の内部で前記容器側壁の対応形成部と協働して前記容器側壁を支持し、前記絞り機構を前記容器に取り外し可能に取り付けるための複数の解除可能な取付装置がある、組み合わせ体。
【請求項２】
前記側壁支持形成部及び前記容器の前記対応形成部は、前記容器底部及び前記周縁形成部の中間の位置で協働する請求項１に記載の組み合わせ体。
【請求項３】
前記絞り機構は、前記容器の前記周縁形成部に、前記フック形成部の両側の２つの位置でさらに支持される請求項１または２に記載の組み合わせ体。
【請求項４】
前記絞り機構は、前記絞り機構を前記容器から持ち上げるための取っ手を有する請求項１〜３のいずれか一項に記載の組み合わせ体。
【請求項５】
前記絞り機構における前記側壁支持形成部に対応する前記容器における前記内部の側壁の形成部は、上向きに開いた凹部である請求項１〜４のいずれか一項に記載の組み合わせ体。
【請求項６】
前記容器は成形で形成され、前記容器における前記内部の側壁の形成部は、１つ又は複数の前記容器側壁と一体成形される請求項５に記載の組み合わせ体。
【請求項７】
前記容器は、一対の対向する側壁、前壁及び後壁を有し、前記形成部は、前記側壁と一体である請求項６に記載の組み合わせ体。
【請求項８】
前記絞り機構の前記側壁支持形成部は、前記絞り機構の前記バスケットが前記収容空間内に下ろされたとき、下方に延び且つ前記容器の前記対応形成部に係合する請求項５〜７のいずれか一項に記載の組み合わせ体。
【請求項９】
前記容器における前記内部の側壁の形成部はそれぞれ、基部及び直立リップ部を有し、前記基部及び前記直立リップ部は、前記絞り機構の前記バスケットが前記収容空間内に下ろされたとき、前記絞り機構の対応する前記側壁支持形成部が受け入れられる溝を形成する請求項８に記載の組み合わせ体。
【請求項１０】
前記容器は、一対の対応する側壁、前壁及び後壁を有し、前記フック形成部は、前記周縁形成部の後壁部分と係合する請求項１〜９のいずれか一項に記載の組み合わせ体。
【請求項１１】
前記絞り機構は、前記容器の前記周縁形成部における側壁部分のそれぞれに支持される請求項２及び請求項２に従属する請求項３〜１０のいずれか一項に記載の組み合わせ体。
【請求項１２】
前記容器の前記周縁形成部はリップを含む請求項１〜１１のいずれか一項に記載の組み合わせ体。
【請求項１３】
前記解除可能な取付装置は、前記容器の前記少なくとも１つの側壁の外側に前記周縁形成部に隣接して枢動可能に連結される留め具であり、前記留め具は、枢動して前記絞り機構本体のそれぞれの形成部に掛かり、それにより前記絞り機構を前記容器に取り付ける請求項１〜１２のいずれか一項に記載の組み合わせ体。
【請求項１４】
前記解除可能な取付装置は、前記絞り機構本体に枢動可能に連結される留め具であり、枢動して前記容器の前記周縁形成部に掛かり、それにより前記絞り機構を前記容器に取り付ける請求項１２に記載の組み合わせ体。
【請求項１５】
実質的に添付図面を参照して本明細書で記載され、且つ／又は添付図面に示される、絞り機構及び容器の組み合わせ体。
【請求項１６】
本明細書に記載され且つ／又は添付図面に示される任意の新規な特徴又は特徴を組み合わせた任意の新規なもの。
【発明の詳細な説明】
【技術分野】
【０００１】
本発明は、絞り機構及びバケツ等の容器の組み合わせ体に関する。
【背景技術】
【０００２】
バケツの中又は上に絞り機構を搭載するということは十分に確立されている。特許文献１に例示されているような一例では絞り機構が記載され、絞り機構は、バケツの周縁の後方部分の上から引っ掛けるフック形成部（hook formation）をもつ本体を有している。一方、本体の前方部は、バケツの周縁の両側部と後方部分より前方で係合するブレース部（brace）を有しており、絞り機構の残りの部分は容器内に垂下している。
【０００３】
絞り機構は、前部がブレース部によって支持され且つ後部がフック形成部によって容器で支持されるため、てこの作用を絞り機構の押圧部材に与えるために比較的長いハンドル（handle）を有する絞り機構を用いることができる。しかしながら、このバケツには、長いハンドルレバーが与えるてこの力によってバケツが歪むのを防ぐために、短い絞りハンドルを用いて小さなてこの作用のみが見込まれる場合のバケツよりも、バケツの壁厚を大きくすることが必要になり得る。
【０００４】
特許文献２には、複数の留め具（clip）によってバケツの周縁に取り外し可能に固定される別の絞り機構が開示されている。これらの留め具が解除されることで、絞り機構に設けられている持ち上げ取っ手を使用して絞り機構をバケツから持ち上げることが可能になる。このようにして、例えば、バケツを空にすること又は絞り機構を交換することを容易にするために、絞り機構をバケツから容易に取り除くことができる。
【先行技術文献】
【特許文献】
【０００５】
【特許文献１】英国特許出願公開第２２４３５３７号明細書
【特許文献２】英国特許出願公開第２４３９２７３号明細書
【発明の概要】
【０００６】
本発明は、絞り機構及び容器の組み合わせ体を提供する。容器は、容器底部から周縁形成部（peripheral edge formation）まで収容空間を囲む少なくとも１つの側壁を有し、絞り機構は、本体と、絞られるべきモップ材を受け入れるバスケット（basket）と、少なくとも１つの可動な押圧部材とを有し、押圧部材は、絞りレバーハンドルを容器の前部に向けて下方に移動させた場合にモップ材を圧搾するように伝動装置によってバスケット内で動作することができ、絞り機構は、少なくともバスケットが収容空間内に垂下した状態で、絞り機構本体により与えられるフック形成部によって容器の周縁形成部で支持され、絞り機構は、一対の側壁支持形成部をさらに有し、側壁支持形成部のそれぞれは、絞る間、収容空間の内部で容器側壁の対応形成部と協働して容器側壁を支持し、絞り機構を容器に取り外し可能に取り付けるための複数の解除可能な取付装置がある。
【０００７】
側壁支持形成部及び容器の対応形成部は、容器底部及び周縁形成部の中間の位置で協働してもよい。
【０００８】
本発明は、特許文献１及び特許文献２を組み合わせたものの利点を利用する。しかしながら、収容空間の内部に支持部が設けられるため、容器の壁は、特許文献１のような構成をもつ場合よりも薄くすることができ、それ故コストが低減される。そして、絞り機構は、容器の周縁形成部に、フック形成部の両側の２つの位置で支持されることができるが、特許文献１のようにブレース部は必要ない。さらに、本発明は、特許文献２のように容器から絞り機構を容易に分離することを可能にし、この目的を達成するために、絞り機構は、容器から絞り機構を持ち上げやすくするための取っ手を有してもよい。
【０００９】
絞り機構における側壁支持形成部に対応する容器における内部の側壁の形成部は、上向きに開いた凹部（recess）であり得ることが好都合であり、凹部は、容器が成形される場合に少なくとも１つの容器側壁と一体成形されてもよい。通常、容器は、一対の対向する側壁、前壁及び後壁を有し、上記形成部は側壁と一体である。絞り機構の側壁支持形成部は、絞り機構のバスケットが収容空間内に下ろされたとき、下方に延び且つ容器の対応形成部内に係合してもよい。
【００１０】
容器が一対の対向する側壁、前壁及び後壁を有する場合、フック形成部は、周縁形成部の後壁部分と係合してよく、場合によっては、絞り機構は、容器の周縁形成部の側壁部分のそれぞれに支持されてもよい。
【００１１】
容器の周縁形成部は、リップ（lip）を含んでもよい。
【００１２】
解除可能な取付装置は、容器の少なくとも１つの側壁の外側に周縁形成部に隣接して枢動可能に連結される留め具であってもよく、留め具は、枢動して絞り機構本体のそれぞれの形成部に掛かり、それにより絞り機構を容器に取り付けてもよい。別の構成では、留め具は、絞り機構本体に枢動可能に連結されてもよく、そして、枢動して容器の周縁形成部に掛かり、それにより絞り機構を容器に取り付けてもよい。
【００１３】
次に、添付図面を参照して本発明の実施形態を説明する。
【図面の簡単な説明】
【００１４】
【図１】本発明による組み合わせ体の説明斜視図である。
【図２】図１の組み合わせ体の上方からの前面図である。
【図３】図１及び図２の組み合わせ体の側面図であり、内部の仕組みを明らかにするために部品を除去したものである。
【図３ａ】図１〜図３の組み合わせ体の部品同士の間の連結部の詳細な断面図である。
【発明を実施するための形態】
【００１５】
図面を参照すると、絞り機構２０及び容器５０の組み合わせ体１０が示されている。
【００１６】
絞り機構２０は、本体２１を有し、本体２１は、側部２２，２３を有すると共に、側部２２，２３の間に、絞られるべきモップ材を受け入れるための上部が開いたバスケット２４を有している。バスケット２４の中には、一対の可動な押圧部材２５ａ，２５ｂがあり、押圧部材２５ａ，２５ｂは、絞りレバーハンドル２７を容器５０の前方周縁リップ部分（lip portion）５５ａに向けて下方に移動させた場合に、モップ材を圧搾するように、伝動装置２６によって互いに対して且つバスケット２４の底部に向かって動作することができる。
【００１７】
伝動装置２６は、ハンドル２７によって軸２９上で動かされる歯付きセグメント（segment）２８を有している。歯付きセグメントは駆動部材３０と係合し、駆動部材３０は、移動し、そしてカム式に押圧部材２５ａ，２５ｂを運ぶことでモップ材に圧搾を加える。駆動部材３０は、ハンドル２７を図示の直立位置へ戻すと共に、押圧部材２５ａ，２５ｂを開放状態へ戻してモップ材を解放するように、ばね付勢されている。
【００１８】
そのような伝動装置２６の構成は周知であり、さらなる説明は必要ではない。
【００１９】
容器５０は、この例では成形品のバケツであり、容器底部５２を有し、容器底部５２から上方には、一対の対向する容器側壁５３，５４、前壁５５及び後壁５６が延びている。これらの側壁５３，５４、前壁５５及び後壁５６は、バケツ底部５２と上部周縁リップ５８との間で収容空間５７を囲んでいる。リップ５８は、この例では、前方部分５５ａ、各側方部分５３ａ，５４ａ及び後方リップ部分５６ａを含んでいる。
【００２０】
別の例では、容器５０は、円形又は別の形状であってよく、それ故上記の側壁は１つであってもよく又は４つより多くても少なくてもよく、そして、容器５０の最も上のリップ５８の代わりに、例にすぎないが厚くしたリム等の別の周縁形成部５８が設けられてもよい。
【００２１】
この例では、容器５０は、取っ手６０を有し、少なくとも容器５０及び絞り機構２０が後述するように分離されているときに、取っ手６０を用いて容器５０を持ち上げることができる。同じくこの例では、容器５０は、４つのキャスター６２又は車輪によって床の上を移動可能であり、キャスター６２又は車輪は、容器５０が搭載され且つ容器５０を持ち上げることにより容易に取り外すことができる台車（dolly）によって備えられてもよく、又はキャスター６２は、この例のように容器５０と一体であってもよい。
【００２２】
別の例では、容器５０又は台車がキャスター又は車輪を３つしか有していなくてもよく、又は容器又は台車が５つ以上のキャスター又は車輪を有していてもよい。
【００２３】
絞り機構２０は、容器５０の周縁形成部５８上において、絞り機構２０に備えられるフック形成部（hook formation）６６によって支持され、フック形成部６６は、この例では絞り機構本体２１によって備えられている。バスケット２４は、絞り機構２０の本体側壁５３，５４，５５，５６同士の間の収容空間５７内に垂下する。
【００２４】
絞り機構２０は、一対の側壁支持形成部６８，６９をさらに有し、側壁支持形成部６８，６９のそれぞれは、容器５０の側壁５３，５４のそれぞれの内側に設けられた対応形成部６８ａ，６９ａと収容空間５７の内部で協働し、それにより、絞る間、バケツ側壁５３，５４を支持する。
【００２５】
この例では、側壁支持形成部６８，６９は、収容空間５７内でバスケット２４の下で下方に向かって延びる垂下した足部によって与えられている。容器側壁５３，５４の対応形成部６８ａ，６９ａは、上向きに開いた凹部によって与えられ、凹部はそれぞれ、各側壁５３，５４から収容空間５７の中に延びる基部６８ｂ，６９ｂと、各側壁５３，５４と概ね平行な方向に延びる直立リップ部（upstanding lip）６８ｃ，６９ｃとを有している。これ故、各形成部６８ａ，６９ａは、その中で側壁支持形成部６８，６９の１つをそれぞれ支持することができる溝（channel）である。この例では、容器５０が成形される際に、形成部６８ａ，６９ａは、容器側壁５３，５４と一体成形される。足部形成部６８，６９と凹部６８ａ，６９ａとは、絞り機構２０のバスケット２４が収容空間５７内に下ろされると係合する。
【００２６】
絞る間、絞り機構２０は、容器５０の周縁形成部５８における後方リップ部分５６ａの上から掛かるフック形成部６６によって、そしてまた、側壁支持形成部６８，６９と容器側壁５３，５４の対応形成部６８ａ，６９ａとを係合させることによっても、容器５０に対して支持される。さらに、側壁支持形成部６８，６９と容器５０の対応形成部６８ａ，６９ａとが係合することによって、容器５０の側壁５３，５４は、絞り機構２０のハンドル２７を引き下げてモップ材を圧搾する際に概ね下方に作用する大きな力がかかった場合に、座屈しようとする傾向に抗して支持される。形成部６８ａ，６９ａのそれぞれが直立リップ部６８ｃ，６９ｃを有していることは、側壁５３，５４が容器５０の外方向及び容器５０の外方向へ座屈しないように支持されることを意味する。さらに、直立リップ部６８ｃ，６９ｃは、支持形成部６８，６９が形成部６８ａ，６９ａから係合が外れることを阻止する。
【００２７】
絞り機構２０は、複数の解除可能な取付装置７０，７１を用いて容器５０に取り外し可能に取り付けられる。この例では、一対のそのような装置７０，７１があり、容器の各側部５３，５４に１つずつ設けられている。この例では、装置７０，７１は、容器側壁５３，５４に枢軸をおく留め具であり、絞り機構２０の本体２１に設けられた形成部７５のそれぞれの上に掛かる又は形成部７５それぞれを解放するように枢動させることができる。別の実施形態では、留め具７０，７１は、絞り機構５０に枢軸をおき、周縁形成部５８の複数の部分のような容器５０における複数の形成部に掛けることができる。
【００２８】
いずれの場合も、留め具７０，７１が絞り機構２０及び容器５０を取り付けるために掛けられた時、容器５０及び絞り機構２０は、絞り機構本体２１に設けられている持ち上げ取っ手８２を用いて、一体となって持ち上げられることができる。留め具７０，７１が外された時、絞り機構２０は、例えば収容空間５７に入れる洗浄液で容器５０を満たす又は洗浄液の排出して容器５０を空にすることを容易にするために、容器５０に設けられている持ち上げ取っ手６０をおそらく用いて、容器５０から持ち上げられることができる。
【００２９】
本発明の範囲から逸脱することなく、まだ述べられていないさまざまな変更を行うことができる。例えば、所望であれば、一対の支持部等のさらなる複数の支持形成部が、周縁形成部５８の後方部分５６ａよりも前方で、フック形成部６６の両側に設けられ、例えば、追加の支持が必要な場合に容器５０の側壁の周縁部分５３ａ，５４ａと係合させてもよい。
【００３０】
容器５０は、上述のように成形される必要はなく、他の方法で製造されてもよい。図示されている特定の絞り機構２０及び容器５０の構成は、単に例示にすぎず、変更することができる。
【００３１】
上記説明又は添付の特許請求の範囲又は添付図面に開示されている特徴は、特定の形態で、又は開示されている機能を果たす手段若しくは開示されている結果を得るための方法或いはプロセスの観点から適宜述べられているが、これらの特徴は、本発明を多様な形態で実現するために、個別に又はこうした特徴をいかようにも組み合わせて利用され得る。
【図１】
2011524195.tif 000003
【図２】
2011524195.tif 000004
【図３】
2011524195.tif 000005
【図３ａ】
2011524195.tif 000006
【国際調査報告】
2011524195.tif 000007
2011524195.tif 000008
2011524195.tif 000009
2011524195.tif 000010
2011524195.tif 000011